(57)【特許請求の範囲】
【請求項１】
オーディオ信号の雑音を検出してその雑音期間の開始時と終了時を示す検出信号を出力する雑音検出手段と、
上記オーディオ信号の低域成分を抽出する第１のフィルタ手段と、
この抽出された低域成分の雑音期間の起点となる線分の傾きの大きさを制限するリミット手段と、
この雑音期間の起点となる線分の傾きの大きさが制限された低域成分の雑音期間を多項式補間する手段と、
上記オーディオ信号の中高域成分を抽出する第２のフィルタ手段と、
この抽出された中高域成分の雑音期間のレベルを抑制する手段と、
上記雑音期間が多項式補間された低域成分と上記雑音期間のレベルが抑制された中高域成分とを合成してオーディオ信号を出力する信号合成手段とを備えたオーディオ信号の雑音除去装置。
【請求項２】
オーディオ信号の雑音を検出してその雑音期間の開始時と終了時を示す検出信号を出力する雑音検出手段と、
上記オーディオ信号の雑音期間を直線補間する直線補間手段と、
この直線補間されたオーディオ信号の低域成分を抽出する第１のフィルタ手段と、
この抽出された低域成分の雑音期間を多項式補間する手段と、
上記直線補間されたオーディオ信号の中高域成分を抽出する第２のフィルタ手段と、
この抽出された中高域成分の雑音期間のレベルを抑制する手段と、
上記雑音期間が多項式補間された低域成分と上記雑音期間のレベルが抑制された中高域成分とを合成してオーディオ信号を出力する信号合成手段とを備えたオーディオ信号の雑音除去装置。
【請求項３】
オーディオ信号の雑音を検出してその雑音期間の開始時と終了時を示す検出信号を出力する雑音検出手段と、
上記オーディオ信号の雑音期間を直線補間する直線補間手段と、
この直線補間されたオーディオ信号の低域成分を抽出する第１のフィルタ手段と、
この抽出された低域成分の雑音期間の起点となる線分の傾きの大きさを制限するリミット手段と、
この雑音期間の起点となる線分の傾きの大きさが制限された低域成分の雑音期間を多項式補間する手段と、
上記直線補間されたオーディオ信号の中高域成分を抽出する第２のフィルタ手段と、
この抽出された中高域成分の雑音期間のレベルを抑制する手段と、
上記雑音期間が多項式補間された低域成分と上記雑音期間のレベルが抑制された中高域成分とを合成してオーディオ信号を出力する信号合成手段とを備えたオーディオ信号の雑音除去装置。
【請求項４】
オーディオ信号の雑音を検出してその雑音期間の開始時と終了時を示す検出信号を出力する雑音検出手段と、
上記オーディオ信号の雑音期間を直線補間する直線補間手段と、
上記直線補間されたオーディオ信号の低域成分を抽出する第１のフィルタ手段と、
上記直線補間されたオーディオ信号の中高域成分を抽出する第２のフィルタ手段と、
この抽出された中高域成分の雑音期間のレベルを抑制する手段と、
上記抽出された低域成分と上記雑音期間のレベルが抑制された中高域成分とを合成してオーディオ信号を出力する信号合成手段とを備えたオーディオ信号の雑音除去装置。
【請求項５】
オーディオ信号の中高域成分を抽出する第２のフィルタ手段は、オーディオ信号を第１のフィルタ手段と同じ量遅延させる遅延手段と、この遅延されたオーディオ信号から第１のフィルタ手段で抽出された低域成分を減算する減算手段とで構成されていることを特徴とする請求項１〜４のいずれか１項に記載のオーディオ信号の雑音除去装置。
【請求項６】
第２のフィルタ手段で抽出された中高域成分から中域成分を抽出する第３のフィルタ手段と、
上記中高域成分から高域成分を抽出する第４のフィルタ手段と、
上記抽出された中域成分および高域成分の雑音期間のレベルをそれぞれ抑制する手段と、
上記雑音期間が多項式補間された低域成分、上記雑音期間のレベルが抑制された中域成分および高域成分を合成してオーディオ信号を出力する信号合成手段とを備えていることを特徴とする請求項１〜４のいずれか１項に記載のオーディオ信号の雑音除去装置。
【請求項７】
第２のフィルタ手段で抽出された中高域成分の雑音期間のレベルを抑制する手段は、上記中高域成分の雑音期間を減衰させるミュート手段、雑音期間の直前でフェードアウトし、雑音期間の直後でフェードインするフェードアウト／イン手段または雑音期間の始めに中高域成分をオフし終りにオンするオン／オフ手段で構成されていることを特徴とする請求項１〜４のいずれか１項に記載のオーディオ信号の雑音除去装置。
【請求項８】
第３のフィルタ手段で抽出された中域成分の雑音期間のレベルを抑制する手段は、上記雑音期間の直前でフェードアウトし、雑音期間の直後でフェードインするフェードアウト／イン手段、雑音期間の始めにオフし終りにオンするオン／オフ手段または雑音期間のレベルを抑制するレベルダウン手段で構成され、
第４のフィルタ手段で抽出された高域成分の雑音期間のレベルを抑制する手段は、上記雑音期間の直前でフェードアウトし、雑音期間の直後でフェードインするフェードアウト／イン手段で構成されていることを特徴とする請求項６に記載のオーディオ信号の雑音除去装置。
【請求項９】
フェードアウト／イン手段のフェードアウトおよびフェードイン特性は、通過域から遮断域に向かって飽和する曲線に形成されていることを特徴とする請求項７または請求項８に記載のオーディオ信号の雑音除去装置。
【発明の詳細な説明】
【０００１】
【発明の属する技術分野】
この発明は、オーディオ信号の雑音除去装置に関し、特にカーラジオ等におけるエンジンの点火プラグや窓開閉駆動モータ等に起因するパルス性の雑音（以下、「パルス性雑音」または「ノイズ」という）を除去する雑音除去装置に関する。
【０００２】
【従来の技術】
図５３は例えば特開昭６３−８７０２６号公報に記載の従来のパルス性雑音除去装置のブロック図である。図において、ＦＭ受信機のＦＭ中間周波信号を入力とするＦＭ検波回路１から出力された検波信号がＬＰＦ（ローパスフィルタ）からなる遅延回路２に供給されて遅延され、遅延回路２の出力はゲート回路３、そしてレベルホールド回路４を介してステレオ復調回路５に供給される。また検波信号は雑音検出用のＨＰＦ（ハイパスフィルタ）６に供給され、ＨＰＦ６を通過したノイズ信号はノイズアンプ７によって増幅されてノイズ検波回路８に供給される。
【０００３】
ノイズ検波回路８はノイズアンプ７の出力信号を整流する整流回路からなり、このノイズ検波出力は波形整形回路９および積分回路１０に供給される。波形整形回路９はノイズ検波出力を所定の時間幅のパルスに変換してゲート回路３に供給する。波形整形回路９からゲート回路３に供給されたパルスによってゲート回路３は駆動されて信号遮断状態になり、信号遮断状態時にはレベルホールド回路４によって信号遮断直前の遅延出力レベルが保持されてステレオ復調回路５に供給される。これによって電位の急変によるスパイクの発生が防止される。また積分回路１０はノイズ検波出力を平滑化してノイズレベルに応じた直流信号を得てノイズアンプ７にフィードバックすることによりＡＧＣループを形成する。
【０００４】
なお、遅延回路２はパルス性雑音がＨＰＦ６に供給されてからゲート回路３を遮断状態にするまでの時間を補うために設けている。また、ステレオ復調回路５には、図５４に示すようにＬｃｈ（左チャンネル）信号とＲｃｈ（右チャンネル）信号が（Ｌｃｈ＋Ｒｃｈ）／２を中心として周波数３８ｋＨｚにより平衡変調された形で入力されるので、例えば３８ｋＨｚで時分割することによりＬｃｈとＲｃｈを分離して取り出す。
【０００５】
図５５は従来の雑音除去装置の動作を示す図である。ＦＭ検波回路１の出力信号が図５５（ａ）に示すようなパルス性雑音（符号Ａ）を含む信号であるとすると、ＨＰＦ６によってＦＭ検波回路１の出力信号の高域成分が抽出されて図５５（ｂ）に示す信号が得られる。このＨＰＦ６の出力信号はノイズアンプ７によって増幅され、ノイズ検波回路８により整流され、波形整形回路９により図５５（ｃ）に示すように所定の時間幅のパルスに変換される。ゲート回路３では遅延回路２により図５５（ｄ）に示すように所定の時間遅らされた信号のパルス性雑音の期間（以下、「パルス性雑音期間」または「雑音期間」という）を図５５（ｅ）に示すように遮断状態に制御する。レベルホールド回路４ではゲート回路３出力の遮断期間を図５５（ｆ）のように遮断直前のレベルが保持することにより、もとの信号にあったパルス性雑音を取り除く。
【０００６】
【発明が解決しようとする課題】
従来のパルス性雑音除去装置は、以上のように構成されていたので、パルス性雑音は除去されるが、図５６（ｂ）に示すように信号がある程度の振幅を持つ場合には、前値保持であるが故に保持の直後と信号が不連続になり、十分にノイズを除去したことにならない。
また、図５６（ｃ）に示すように高い周波数成分を含む場合には、前値保持であるが故に保持の前後と信号が不連続になり、聴感上ノイズ除去処理部分の存在が目立つ場合がある。
更に、ステレオ復調の前に前値保持処理を行うので、図５６（ｄ）に示すように両チャンネルの信号に差がある場合に、前値保持によって片方のチャンネルに処理の前後に対し大きく異なる部分を生ずる等のような問題点があった。
【０００７】
この発明は上述のような課題を解決するためになされたもので、ステレオ復調後のオーディオ信号から確実にパルス性雑音を除去し、しかも高い周波数成分を含む場合にも除去部分と前後との不連続を生じない雑音除去装置を得ることを目的とする。
【００１０】
【課題を解決するための手段】
オーディオ信号の雑音を検出してその雑音期間の開始時と終了時を示す検出信号を出力する雑音検出手段と、上記オーディオ信号の低域成分を抽出する第１のフィルタ手段と、この抽出された低域成分の雑音期間の起点となる線分の傾きの大きさを制限するリミット手段と、この雑音期間の起点となる線分の傾きの大きさが制限された低域成分の雑音期間を多項式補間する手段と、上記オーディオ信号の中高域成分を抽出する第２のフィルタ手段と、この抽出された中高域成分の雑音期間のレベルを抑制する手段と、上記雑音期間が多項式補間された低域成分と上記雑音期間のレベルが抑制された中高域成分とを合成してオーディオ信号を出力する信号合成手段とを備えたものである。
【００１１】
上記構成によれば、低域通過フィルタによりオーディオ信号の低域成分を抽出し、リミット手段により雑音期間の多項式補間の起点となる前後各２点における線分の傾きの大きさを制限して多項式補間するので、ＬＰＦの遮断特性が急峻でなくても突出した補間信号になることはなく、雑音期間の前後と著しく不連続になることはない。また、中高域通過フィルタによりオーディオ信号の中高域成分を抽出し、この中高域成分の雑音期間のレベルを抑制して上記多項式補間した低域成分と合成するので、雑音が完全に取り除かれたオーディオ信号が得られる。
【００１２】
また、オーディオ信号の雑音を検出してその雑音期間の開始時と終了時を示す検出信号を出力する雑音検出手段と、上記オーディオ信号の雑音期間を直線補間する直線補間手段と、この直線補間されたオーディオ信号の低域成分を抽出する第１のフィルタ手段と、この抽出された低域成分の雑音期間を多項式補間する手段と、上記直線補間されたオーディオ信号の中高域成分を抽出する第２のフィルタ手段と、この抽出された中高域成分の雑音期間のレベルを抑制する手段と、上記雑音期間が多項式補間された低域成分と上記雑音期間のレベルが抑制された中高域成分とを合成してオーディオ信号を出力する信号合成手段とを備えたものである。
【００１３】
上記構成によれば、予めオーディオ信号の雑音期間を直線補間した後低域成分を抽出して雑音期間を多項式補間するので、パルス性雑音を含んだままＬＰＦで抽出した場合に比べて、多項式補間の起点となる雑音期間の前後の各２点における線分の傾きが小さくなる。このため突出した補間信号になることはなく、雑音期間の前後と著しく不連続になることはない。また、中高域通過フィルタによりオーディオ信号の中高域成分を抽出し、この中高域成分の雑音期間のレベルを抑制して上記多項式補間した低域成分と合成するので、雑音が完全に取り除かれたオーディオ信号が得られる。
【００１４】
また、オーディオ信号の雑音を検出してその雑音期間の開始時と終了時を示す検出信号を出力する雑音検出手段と、上記オーディオ信号の雑音期間を直線補間する直線補間手段と、この直線補間されたオーディオ信号の低域成分を抽出する第１のフィルタ手段と、この抽出された低域成分の雑音期間の起点となる線分の傾きの大きさを制限するリミット手段と、この雑音期間の起点となる線分の傾きの大きさが制限された低域成分の雑音期間を多項式補間する手段と、上記直線補間されたオーディオ信号の中高域成分を抽出する第２のフィルタ手段と、この抽出された中高域成分の雑音期間のレベルを抑制する手段と、上記雑音期間が多項式補間された低域成分と上記雑音期間のレベルが抑制された中高域成分とを合成してオーディオ信号を出力する信号合成手段とを備えたものである。
【００１５】
上記構成によれば、予めオーディオ信号の雑音期間を直線補間した後ＬＰＦで低域成分を抽出し、この抽出された低域成分の雑音期間の起点となる線分の傾きの大きさをリミット手段で制限して雑音期間を多項式補間するので、パルス性雑音を含んだままＬＰＦで抽出した場合に比べて多項式補間の起点となる雑音期間の前後の各２点における線分の傾きが小さくなる。このため突出した補間信号になることはなく、雑音期間の前後と著しく不連続になることはない。また、上記直線補間したオーディオ信号から中高域通過フィルタにより中高域成分を抽出して雑音期間のレベルを抑制した中高域成分と上記多項式補間した低域成分とを合成するので、雑音が完全に取り除かれたオーディオ信号が得られる。
【００１６】
また、オーディオ信号の雑音を検出してその雑音期間の開始時と終了時を示す検出信号を出力する雑音検出手段と、上記オーディオ信号の雑音期間を直線補間する直線補間手段と、上記直線補間されたオーディオ信号の低域成分を抽出する第１のフィルタ手段と、上記直線補間されたオーディオ信号の中高域成分を抽出する第２のフィルタ手段と、この抽出された中高域成分の雑音期間のレベルを抑制する手段と、上記抽出された低域成分と上記雑音期間のレベルが抑制された中高域成分とを合成してオーディオ信号を出力する信号合成手段とを備えたものである。
【００１７】
上記構成によれば、予めオーディオ信号の雑音期間を直線補間した後ＬＰＦで低域成分を抽出し、この低域成分と、上記直線補間したオーディオ信号から中高域通過フィルタにより抽出して雑音期間のレベルを抑制した中高域成分とを合成するので、多項式補間を行った場合に比べて滑らかさは欠けるが、雑音が完全に取り除かれたオーディオ信号が得られる。
【００１８】
また、オーディオ信号の中高域成分を抽出する第２のフィルタ手段は、オーディオ信号を第１のフィルタ手段と同じ量遅延させる遅延手段と、この遅延されたオーディオ信号から第１のフィルタ手段で抽出された低域成分を減算する減算手段とで構成されているものである。
上記構成によれば、簡単な構成で中高域成分を抽出する第２のフィルタ手段を実現できる。
【００１９】
また、第２のフィルタ手段で抽出された中高域成分から中域成分を抽出する第３のフィルタ手段と、上記中高域成分から高域成分を抽出する第４のフィルタ手段と、上記抽出された中域成分および高域成分の雑音期間のレベルをそれぞれ抑制する手段と、上記雑音期間が多項式補間された低域成分、上記雑音期間のレベルが抑制された中域成分および高域成分を合成してオーディオ信号を出力する信号合成手段とを備えているものである。
上記構成によれば、第２のフィルタ手段で抽出した中高域成分を中域成分と高域成分に分ける第３，第４のフィルタ手段を、簡単な構成で実現できる。
【００２０】
また、第２のフィルタ手段で抽出された中高域成分の雑音期間のレベルを抑制する手段は、上記中高域成分の雑音期間を減衰させるミュート手段、雑音期間の直前でフェードアウトし、雑音期間の直後でフェードインするフェードアウト／イン手段または雑音期間の始めに中高域成分をオフし終りにオンするオン／オフ手段で構成されているものである。
上記構成によれば、中高域成分に含まれている雑音成分に応じた除去手段を選択して用いることで、オーディオ信号を損なうことなく、雑音を除去することができる。
【００２１】
また、第３のフィルタ手段で抽出された中域成分の雑音期間のレベルを抑制する手段は、上記雑音期間の直前でフェードアウトし雑音期間の直後でフェードインするフェードアウト／イン手段、雑音期間の始めにオフし終りにオンするオン／オフ手段または雑音期間のレベルを抑制するレベルダウン手段で構成され、第４のフィルタ手段で抽出された高域成分の雑音期間のレベルを抑制する手段は、上記雑音期間の直前でフェードアウトし、雑音期間の直後でフェードインするフェードアウト／イン手段で構成されているものである。
上記構成によれば、中域成分および高域成分の雑音期間に含まれている雑音成分を、それぞれ効率よく除去することができる。
【００２２】
また、フェードアウト／イン手段のフェードアウトおよびフェードイン特性は、通過域から遮断域に向かって飽和する曲線に形成されているものである。
上記構成によれば、雑音期間とその前後の信号との不連続さを軽減することができる。
【００２３】
【発明の実施の形態】
以下、この発明をその実施の形態を示す図面に基づいて具体的に説明する。
実施の形態１．
図１はこの発明の実施の形態１である雑音除去装置のブロック図である。図において、１はＦＭ検波回路、５はステレオ復調回路、１１はノイズ検出回路、１２はＬＰＦ、１３は多項式補間回路、１４はＨＰＦ、１５はミュート回路、１６は合成回路であり、これらによりステレオ復調回路５の出力オーディオ信号の片チャンネル分の雑音除去回路１７が構成される。１８は他方の雑音除去回路であり、構成は雑音除去回路１７と全く同一なので説明は省略する。
【００２４】
次に動作を説明する。ＦＭ受信機のＦＭ中間周波信号を入力とするＦＭ検波回路１の出力はステレオ復調回路５に供給され、ＬｃｈとＲｃｈに分離したオーディオ信号として取り出され、雑音除去回路１７および１８に入力される。雑音除去回路１７において、ノイズ検出回路１１は、ステレオ復調回路５から入力されたオーディオ信号にパルス性雑音が乗っている場合に、その開始時と終了時の雑音期間を示す検出信号を、多項式補間回路１３およびミュート回路１５に出力する。
【００２５】
ノイズ検出回路１１としては、例えば従来例の図５３に示したゲート回路３を制御する信号を発生する部分、即ちＨＰＦ６、ノイズアンプ７、ノイズ検波回路８、波形整形回路９、積分回路１０により構成される部分のような回路があげられる。ステレオ復調回路５のオーディオ信号出力はＬＰＦ１２に入力され、低域成分が抽出される。ＬＰＦ１２で抽出されたオーディオ信号の低域成分は多項式補間回路１３に入力され、ノイズ検出回路１１により検出された雑音期間が多項式補間によって補間される。
【００２６】
図２は多項式補間回路１３の一例として３次式による補間を行う場合の動作説明図で、図２（ａ）は本来のオーディオ信号、図２（ｂ）はパルス性雑音が混入したオーディオ信号、図２（ｃ）は多項式補間した信号を示しており、ｘ１からｘ２の期間にパルス性雑音が混入して本来の信号が欠落した状態を示している。このｘ１からｘ２の雑音期間を次に示すラグランジェの３次多項式で補間する。
【００２７】
【数１】
0003675179.tif 000002
【００２８】
この場合、雑音期間の前後各２点ｘ１，ｘ２から欠落した部分の信号ｆ（ｘ）を作成して図２（ｃ）のように補間する。
【００２９】
図３および図４は多項式補間の前にＬＰＦ１２により中高域成分を除く理由を説明するための説明図で、図３は高域成分を取り除かずに３次式による多項式補間を行った場合の補間後の一例を示している。図３（ａ）は本来のオーディオ信号、図３（ｂ）はパルス性雑音が混入したオーディオ信号、図３（ｃ）は多項式補間したオーディオ信号を示している。図３（ａ）のようにオーディオ信号に中高域成分が含まれて振動している場合、補間データは雑音期間の始点と終点の２点から計算されるため、条件によっては図３（ｃ）のように大きく突出する可能性がある。
【００３０】
図４（ａ）は図３（ａ）のオーディオ信号からＬＰＦ１２により中高域成分を除去した低域成分を示しており、図４（ｂ）はパルス性雑音が混入した低域成分、図４（ｃ）は多項式補間した低域成分を示している。このように、中高域成分を取り除いておいて補間すれば、大きく突出することはない。
【００３１】
図５は多項式補間回路１３の構成例を示す図である。図２（ｂ）に示した雑音期間の始点ｘ１とその直前のｘ０の２点のレベルｙ１とｙ０を保持する直前用保持回路１３ａと、雑音期間の終点ｘ２とその直後のｘ３の２点のレベルｙ２，ｙ３を保持する直後用保持回路１３ｂと、これらの４点のレベルｙ０，ｙ１、ｙ２，ｙ３からラグランジェの３次多項式に基づき補間信号を作成する演算回路１３ｃと、補間信号作成による遅延を補う遅延回路１３ｄと、補間信号と遅延回路１３ｄの出力を合成する合成回路１３ｅによって構成される。
【００３２】
図６は、多項式補間回路１３の動作を説明するための図で、図６（ａ）はＬＰＦ１２の出力、図６（ｂ）はノイズ検出回路１１から多項式補間回路１３に入力され雑音期間の開始時と終了時を示す検出信号である。直前用保持回路１３ａは雑音期間の開始時点に基づいて直前の２点、ｘ０，ｘ１の値ｙ０，ｙ１を保持する。直後用保持回路１３ｂは雑音期間の終了時点に基づいて直後の２点、ｘ２，ｘ３の値ｙ２，ｙ３を保持する。演算回路１３ｃは、上記ラグランジェの３次多項式に基づき補間信号の各点の値を算出して出力する。図６（ｃ）は補間信号を示しているが、実際には時間的に点ｘ３の後にならないと演算結果が出せないので、補間信号は例えば図６（ｄ）のような位置まで遅延する。但し、雑音期間の長短により遅延量が変動する弊害を避けるため、雑音期間として取り扱う最長の期間を固定的な遅延量とし、合成回路１３ｅへの入力タイミングを合わせる等の方法をとっている。
【００３３】
図７は、多項式補間回路１３内の合成回路１３ｅの動作を説明するための図である。図７（ａ）〜（ｃ）は図６（ａ）〜（ｄ）で説明した補間信号の作成動作、図７（ｃ）は演算回路１３ｃの補間出力信号、図７（ｄ）は遅延回路１３ｄにより図７（ｃ）とタイミングを合わせられたオーディオ信号の低域成分、図７（ｅ）は合成回路１３ｅから出力される低域成分である。このように、図７（ｄ）に示す雑音期間を図７（ｃ）に示す補間信号に置き換えることにより、図７（ｅ）に示す合成された低域成分が得られる。
【００３４】
他方、オーディオ信号は図１に示すＨＰＦ１４に入力されて中高域成分が抽出される。ミュート回路１５はノイズ検出回路１１から入力される検出信号に基づいて、中高域成分の雑音期間に対してミュートをかける。
図８は、ミュート回路１５の動作を説明するための図である。図８（ａ）はオーディオ信号入力で、雑音期間（ノイズ期間）を斜線で示している。図８（ｂ）はノイズ検出回路１１の検出信号で、雑音期間を示している。図８（ｃ）はパルス性雑音を含んだ中高域成分、図８（ｄ）はそのミュート回路１５の出力を示している。
【００３５】
図９は、合成回路１６の構成例を示す図である。合成回路１６に入力される低域成分と中高域成分には、遅延量の相違による時間的なズレが存在するので、これを補正した後に加算して合成する。遅延回路１６ａは多項式補間回路１３から入力される低域成分に対して、また遅延回路１６ｂはミュート回路１５から入力される中高域成分に対して遅延を与えるが、遅延量の大きい方の成分に合わせるようにするので、遅延量の大きい方の成分の遅延回路は零遅延となる。加算回路１６ｃにはタイミングのあった低域成分と中高域成分が入力されて合成される。
【００３６】
図１０は、この実施の形態１の動作結果の説明図で、図１０（ａ）は入力されたオーディオ信号を示しており、破線部分は雑音期間を示している。図１０（ｂ）は入力されたオーディオ信号から中高域成分を除かないで雑音期間を多項式補間した場合の出力オーディオ信号を示しており、雑音期間が図のように突出した補間になる場合がある。図１０（ｃ）はこの実施の形態１により、低域成分に対して多項式補間を行い、中高域成分に対しては雑音期間をミュートして合成した場合を示しており、低域成分が損なわれることなく、パルス性雑音が除去されている。
【００３７】
なお、実施の形態１では、ＦＭステレオ信号についての雑音除去について説明したが、モノラル信号の場合にはＦＭ復調回路５の２系統の出力が全く同信号となるだけで、動作は全く同様である。
また、ＡＭ信号に対しても図１１に示すようにＡＭ検波回路１９の出力のオーディオ信号以降の処理に変化はないので、雑音除去回路１７の構成は図１と同様であり、その動作は基本的に同様である。
【００３８】
また、実施の形態１としてノイズ検出回路１１をステレオ復調後のオーディオ信号に対して行う例で説明したが、ステレオ復調回路５の前にノイズ検出回路を配置してノイズ検出を行う構成としても、雑音除去回路の働きとしては何ら変わらない。このことは以下説明する実施の形態２〜１０についても同様である。
【００３９】
実施の形態２．
図１２は、この発明の実施の形態２である雑音除去装置のブロック構成図で、図１と同一符号はそれぞれ同一または相当部分を示している。図において、２０は遅延回路、２１は減算回路、２２はフェードアウト／イン回路であり、１１〜１３、１６および２０〜２２でステレオ復調回路５から入力されたオーディオ信号の片チャンネル分の雑音除去回路２３が構成される。２４は他方のチャンネルの雑音除去回路であり、構成は雑音除去回路２３と全く同一なので説明は省略する。
この実施の形態２は、実施の形態１のＨＰＦ１４を、遅延回路２０と減算回路２１で構成したものである。
【００４０】
次に、実施の形態１と異なる部分の動作を説明する。
オーディオ信号はノイズ検出回路１１と遅延回路２０に入力され、遅延回路２０でＬＰＦ１２における遅延量と同じ量遅延される。減算回路２１はこの遅延されたオーディオ信号からＬＰＦ１２の出力を減ずることにより、オーディオ信号から中高域成分を取り出す。フェードアウト／イン回路２２はノイズ検出回路１１の検出信号に基づいて、中高域成分の雑音期間の直前でフェードアウトし、雑音期間の直後でフェードインするレベル調整を、それぞれ直線的に変化する特性で行う。
【００４１】
図１３は、フェードアウト／イン回路２２の動作説明図である。図１３（ａ）は入力されたオーディオ信号で、雑音期間を斜線で示している。図１３（ｂ）はノイズ検出回路１１の検出信号で、雑音期間を示している。図１３（ｃ）は減算回路２１から出力される中高域成分で、ＬＰＦ１２における遅延量に相当する量だけ遅延されている。図１３（ｄ）はフェードアウト／イン回路２２から出力される中高域成分を示している。フェードアウトの開始は雑音期間の開始点をきっかけとするので、図１３（ｃ）の遅延量は少なくともフェードアウト期間分の時間が必要である。
【００４２】
図１４は、この実施の形態２の動作結果の説明図で、図１４（ａ）は入力されたオーディオ信号を示しており、破線部分は雑音期間を示している。図１４（ｂ）は入力されたオーディオ信号から中高域成分を除かないで雑音期間を多項式補間した場合の出力オーディオ信号を示しており、雑音期間が図のように突出した補間になる場合がある。図１４（ｃ）はこの実施の形態２により、低域成分に対して多項式補間を行い、中高域成分に対しては雑音期間をフェードアウト／インして合成した場合を示しており、低域成分が損なわれることなく、パルス性雑音が除去されている。
【００４３】
なお、実施の形態２ではＦＭステレオ信号についての雑音除去について説明したが、モノラル信号の場合にはＦＭ復調回路５の２系統の出力が全く同信号となるだけで動作は全く同様である。
また、ＡＭ信号に対しても図１５に示すようにＡＭ検波回路１９の出力のオーディオ信号以降の処理に変化はないので、雑音除去回路２３の構成は図１２と同様であり、その動作は基本的に同様である。
【００４４】
実施の形態３．
図１６は、この発明の実施の形態３である雑音除去装置のブロック図で、図１２と同一符号はそれぞれ同一または相当部分を示している。図において、２５はＬＰＦ、２６は遅延回路、２７は減算回路、２８はフェードアウト／イン回路、２９は合成回路であり、１１〜１３、２０〜２２、２５〜２９でステレオ復調回路５の出力オーディオ信号の片チャンネル分の雑音除去回路３０が構成される。３１は他方のチャンネルの雑音除去回路であり、構成は雑音除去回路３０と全く同一なので説明は省略する。
【００４５】
この実施の形態３は、実施の形態２の減算回路２１で抽出された中高域成分からＬＰＦ１２より遮断周波数の高い第２のＬＰＦ２５で中域成分を抽出し、フェードアウト／イン回路２２で雑音期間の直前でフェードアウト、直後でフェードインを施すとともに、遅延回路２６でＬＰＦ２５に於ける遅延量と同じ量遅延させた中高域成分から減算回路２７で中域成分を減じて高域成分を抽出し、フェードアウト／イン回路２８で雑音期間の直前でフェードアウト、直後でフェードインを施したのち、雑音期間が多項式補間された低域成分と、雑音期間がフェードアウト／インされた中域成分と、雑音期間がフェードアウト／インされた高域成分とを、合成回路２９で合成するようにした点が実施の形態２と異なる。
【００４６】
次に、実施の形態２と異なる部分の動作を説明する。減算回路２１から出力された中高域成分はＬＰＦ２５に入力されて中域成分が取り出され、フェードアウト／イン回路２２に入力される。フェードアウト／イン回路２２は、中域成分に対してノイズ検出回路１１の検出信号に基づいて雑音期間の直前でフェードアウト、直後でフェードインする。フェードアウト／イン回路２２の動作は実施の形態２と同じであるので説明は省略する。
【００４７】
他方、減算回路２１から出力された中高域成分は、遅延回路２６によりＬＰＦ２５から出力される中域成分とタイミングが合う量の遅延を与えられ、減算回路２７に入力される。減算回路２７は、中高域成分から中域成分を減算して高域成分を取り出し、フェードアウト／イン回路２８に出力する。フェードアウト／イン回路２８は、高域成分に対してノイズ検出回路１１の検出信号に基づいて雑音期間の直前でフェードアウト、直後でフェードインする。合成回路２９は、多項式補間された低域成分と、フェードアウト／インされた中域成分と、フェードアウト／インされた高域成分とを合成したオーディオ信号を出力する。
【００４８】
図１７は、この実施の形態３の中高域成分を中域成分と高域成分に分けて、別々にフェードアウト／インを施す動作を説明するための図である。このように雑音期間を遮断して前後でフェードアウト／インすると、フェードアウト／インの期間が長くなれば途切れ感が高まるが、短いとフェードアウト／インによる効果が薄れ、遮断と通過の不連続がパルス雑音と連動して繰り返されることによるビート音が目立つようになるので、フェードアウト／イン期間を適当な値に設定する必要がある。また、この適当な値は信号の周波数によって異なってくるので、中域成分は図１７（ｃ）に示すようにフェードアウト／インの期間を長く、高域成分は図１７（ｄ）に示すように短くする。
【００４９】
図１８は、合成回路２９の構成例を示す図である。合成回路２９に入力される低域成分と中域成分と高域成分には、遅延量の相違による時間的なズレが存在するので、これを補正した後に加算して合成する。遅延回路２９ａは多項式補間回路１３から入力される低域成分に対して、遅延回路２９ｂはフェードアウト／イン回路２２から入力される中域成分に対して、遅延回路２９ｃはフェードアウト／イン回路２８から入力される高域成分に対してそれぞれ遅延を与えるが、最も遅延している成分に合わせるので、最も遅延している成分が入力される遅延回路は零遅延となる。加算回路２９ｄにはタイミングのあった低域成分、中域成分、および高域成分の信号がそれぞれ入力されて合成される。
【００５０】
なお、実施の形態３では、ＦＭステレオ信号についての雑音除去について説明したが、モノラル信号の場合にはＦＭ復調回路５の２系統の出力が全く同信号となるだけで動作は全く同様である。
また、ＡＭ信号に対しても図１９に示すようにＡＭ検波回路１９の出力のオーディオ信号以降の処理に変化はないので、雑音除去回路３０の構成は図１６と同様であり、その動作は基本的に同様である。
【００５１】
実施の形態４．
図２０はこの発明の実施の形態４である雑音除去装置のブロック図で、図１６と同一符号はそれぞれ同一または相当部分を示している。図において、３２はＯＮ／ＯＦＦ回路であり、１１〜１３、２０，２１、２５〜２９および３２でステレオ復調回路５の出力オーディオ信号の片チャンネル分の雑音除去回路３３が構成される。３４は他方のチャンネルの雑音除去回路であり、構成は雑音除去回路３３と全く同一なので説明は省略する。
【００５２】
この実施の形態４は、ＬＰＦ２５で抽出された中域成分を、ＯＮ／ＯＦＦ回路３２でＯＮ／ＯＦＦしてパルス性雑音を遮断するようにした点が実施の形態３と異なる。
【００５３】
図２１はＯＮ／ＯＦＦ回路３２の構成例を示す図である。ノイズ検出回路１１の検出信号をタイマ３２ａで受け、このタイマ３２ａの出力でＬＰＦ２５の出力をＯＮ／ＯＦＦするスイッチ３２ｂを制御する。
【００５４】
図２２はこのＯＮ／ＯＦＦ回路３２の動作の説明図で、図２２（ａ）はノイズ検出回路１１から出力されるノイズ検出信号、図２２（ｂ）および図２２（ｃ）はＯＮ／ＯＦＦ回路３２から出力される中域成分を示している。ノイズ検出回路１１からタイマ回路３２ａに検出信号が入力されると、図２２（ｂ）に示すように、ＬＰＦ２５から入力された中域成分を遮断し、雑音期間経過後一定期間パルス性雑音が発生しなければ復帰するように動作する。なお、遮断動作の境界部で図２２（ｃ）のようにフェードアウト／フェードインさせてもよい。
【００５５】
なお、実施の形態４では、ＦＭステレオ信号についての雑音除去について説明したが、モノラル信号の場合にはＦＭ復調回路５の２系統の出力が全く同信号となるだけで動作は全く同様である。
また、ＡＭ信号に対しても図２３に示すようにＡＭ検波回路１９の出力オーディオ信号以降の処理に変化はないので、雑音除去回路３３の構成は図２０と同様であり、その動作は基本的に同様である。
【００５６】
実施の形態５．
図２４はこの発明の実施の形態５である雑音除去装置のブロック図で、図１６と同一符号はそれぞれ同一または相当部分を示している。図において、３５はレベルダウン回路であり、１１〜１３、２０，２１、２５〜２９および３５でステレオ復調回路５の出力オーディオ信号の片チャンネル分の雑音除去回路３６が構成される。３７は他方のチャンネルの雑音除去回路であり、構成は雑音除去回路３６と全く同一なので説明は省略する。
【００５７】
この実施の形態５は、ＬＰＦ２５で抽出された中域成分を、レベルダウン回路３５で雑音期間のレベルをダウンさせるように構成した点が実施の形態４と異なる。
【００５８】
図２５はレベルダウン回路３５の構成例を示す図である。ノイズ検出回路１１の出力をタイマ３５ａで受け、ＬＰＦ２５の出力と、この出力を分圧してレベルを下げる分圧回路３５ｂの出力とを、タイマ３５ａの出力により切り替えるスイッチ３５ｃを制御する。
【００５９】
図２６はレベルダウン回路の動作説明図で、図２６（ａ）はノイズ検出回路１１から出力されるノイズ検出信号、図２６（ｂ）および図２６（ｃ）はレベルダウン回路３５の出力を示している。ノイズ検出回路１１からタイマ回路３５ａに検出信号が入力されると、図２６（ｂ）に示すように、分圧回路３５ｂから入力された中域成分に切り換えて中域成分のレベルを下げ、雑音期間経過後一定期間パルス性雑音が発生しなければ復帰するように動作する。なお、レベル低下動作の境界部で図２６（ｃ）のようにフェードアウト／フェードインさせてもよい。
【００６０】
なお、実施の形態５では、ＦＭステレオ信号についての雑音除去について説明したが、モノラル信号の場合にはＦＭ復調回路５の２系統の出力が全く同信号となるだけで動作は全く同様である。
また、ＡＭ信号に対しても図２７に示すようにＡＭ検波回路１９の出力オーディオ信号以降の処理に変化はないので、雑音除去回路３６の構成は図２４と同様であり、その動作は基本的に同様である。
【００６１】
実施の形態６．
この発明の実施の形態６である雑音除去装置の構成は、実施の形態２〜５を示す図１２、図１６、図２０、図２４と同一であり、フェードアウト／イン回路２２および２８の動作特性が相違するだけであるので、構成についての説明は省略する。
図２８はこの実施の形態６のフェードアウト／イン特性の説明図で、図２８（ａ）は多項式補間された低域成分、図２８（ｂ）は実施の形態２〜５におけるフェードアウト／イン特性、図２８（ｃ）は実施の形態６のフェードアウト／イン特性を示している。
【００６２】
図２８（ｂ）に示した実施の形態２〜５におけるフェードアウト／イン特性は、フェードアウト／インを直線的な特性で行っているのに対し、図２８（ｃ）に示した実施の形態６におけるフェードアウト／イン特性は、通過域から遮断域に向かって飽和する特性で行っており、このようにすると、雑音期間との信号のつながりがスムーズになる。
【００６３】
なお、フェードアウト／イン回路２２，２８の飽和曲線の特性としては、例えば図２９に示すように、ｓｉｎθにおいてθ＝π／２近辺を係数として利用する等の方法が考えられる。
【００６４】
実施の形態７．
図３０〜図３４は、それぞれこの発明の実施の形態７である雑音除去装置の第１〜第５のブロック図で、３９〜４８は雑音除去回路である。この実施の形態７は、実施の形態１〜５の構成を示す図１、図１２、図１６、図２０および図２４中に示した多項式補間回路１３の直前に、リミット回路３８を挿入したものである。この実施の形態７の動作は、リミット回路３８と多項式補間回路１３の動作以外は上記実施の形態１〜５と全く同様なので説明は省略する。
【００６５】
一般にＬＰＦ１２の遮断特性を急峻にしようとすればフィルタのタップ数を増やす必要があり、構成が複雑化して実用的でなくなる。実用的な構成で妥協すれば遮断特性は緩やかになり、ＬＰＦ１２の出力に中高域の成分が残ることになる。そこで、この実施の形態７は、リミット回路３８を設けてこの影響の軽減を図ったものである。
【００６６】
図３５はリミット回路３８の動作説明図で、図３５（ａ）はＬＰＦ１２に入力されるオーディオ信号を示しており、点線部分は雑音期間である。図３５（ｂ）は遮断特性が緩やかなＬＰＦ１２から出力される低域成分出力に対して多項式補間回路１３によりパルス性雑音期間を補間した場合を示している。この場合は、中高域成分が残留しているため、多項式補間の起点となる両端の２点（図２参照）における線分の傾きが大きくなるため、突出した補間となる。リミット回路３８はノイズ検出回路１１の検出信号を受けて、多項式補間の起点となる両端の２点における線分の傾きの大きさが一定値以上にならないように制限する。図３５（ｃ）はこのリミット回路３８を設けた場合の多項式補間回路１３の低域成分の出力を示しており、多項式補間による突出が抑制されている。
【００６７】
実施の形態８．
図３６〜図４０はこの発明の実施の形態８である雑音除去装置のブロック図で、５０〜６９は雑音除去回路である。この実施の形態８は、実施の形態１〜５の構成を示す図１、図１２、図１６、図２０および図２４中に示したＬＰＦ１２の直前に直線補間回路４９を挿入し、ノイズ検出回路１１によりパルス性雑音が検出された期間について直線補間を行った後にＬＰＦ１２および遅延回路２０に入力するように構成したものである。
【００６８】
図４６は直線補間回路４９の動作説明図である。図４６（ａ）は直線補間回路４９を使用しない場合のＬＰＦ１２に入力されるオーディオ信号、図４６（ｂ）は直線補間回路４９により直線補間を行った場合のＬＰＦ１２に入力されるオーディオ信号で、図４６中央の２つの円は図４６（ａ）、（ｂ）それぞれの場合についてのＬＰＦ１２の出力を表している。両円内の矢印部分は雑音期間との境界部分、即ち次段の多項式補間回路１３で多項式補間を行う時の起点となる部分の２点における線分の傾きを示しており、低域成分の補間を良好に行うためには、雑音期間の影響を小さくする必要がある。
【００６９】
図４６（ａ）の場合は信号に比べて高い振幅のパルス性雑音が重畳された状態でＬＰＦ１２に通すので、雑音期間外の境界部分ではパルス性雑音がない場合に比べて影響が大きく、その部分でＬＰＦ１２から出力される低域成分が変形する。他方、図４６（ｂ）の場合もノイズ部分に直線補間が入るので、パルス性雑音がない場合に比べればＬＰＦ１２から出力される低域成分は変形するが、図４６（ａ）と比べてその程度は小さくなる。
【００７０】
この実施の形態８によれば、低域成分の多項式補間の起点となる前後各２点における線分の傾きの大きさが、パルス性雑音を含めたままＬＰＦで抽出した場合に比べて変形の程度が小さいので、突出した補間信号になることはなく、雑音期間の前後と著しく不連続になることがない。
【００７１】
実施の形態９．
図４１〜図４５はこの発明の実施の形態９である雑音除去装置のブロック図で、５０〜６９は雑音除去回路である。この実施の形態９は、実施の形態７の構成を示す図３０〜３４において、ＬＰＦ１２の直前に直線補間回路４９を挿入し、ノイズ検出回路１１によりパルス性雑音が検出された期間について直線補間を行った後にＬＰＦ１２および遅延回路２０に入力し、ＬＰＦ１２から出力される低域成分の雑音期間をリミット回路３８で多項式補間の起点となる両端の２点における線分の傾きの大きさが一定値以上にならないように制限して、多項式補間による突出を抑制するように構成したものである。
【００７２】
この実施の形態９によれば、実施の形態７と８の効果が得られるので、雑音期間の前後の信号の連続性がさらによくなる。
【００７３】
実施の形態１０．
図４７〜図５１はこの発明の実施の形態１０である雑音除去装置のブロック図で、７０〜７９は雑音除去回路である。この実施の形態１０は、実施の形態８の構成を示す図３６〜４０に示されている多項式補間回路１３を取り除いたものである。この実施の形態１０では、オーディオ信号を直線補間したのちＬＰＦ１２で抽出した低域成分と中高域成分を、合成回路１６または２９で合成する。
【００７４】
図５２は図４７〜５１において共通する低域成分の処理動作の説明図である。図５２（ａ）は直線補間回路４９に入力されるオーディオ信号、図５２（ｂ）は直線補間回路４９の出力信号、図５２（ｃ）はＬＰＦ１２から出力される低域成分、図５２（ｄ）は比較のために示した図３６における多項式補間回路１３から出力される低域成分である。
【００７５】
この実施の形態１０は、低域成分を図５２（ｃ）に示したように直線補間した後、ＬＰＦ１２で抽出したものであるから、多項式補間を行った場合の図５２（ｄ）に示したものと比べて雑音期間が直線的であるため、雑音期間の前後の信号のつながりの滑らかさの点で劣るが、多項式補間回路１３の省略による構成の簡素化が可能となる。
【００７６】
【発明の効果】
この発明は、以上説明したように構成されているので、以下に示すような効果を奏する。
【００７８】
オーディオ信号から抽出した低域成分の雑音期間の前後各２点による線分の傾きの大きさをリミット手段によって制限したのち、多項式補間するので、低域成分を抽出するＬＰＦの遮断特性が急峻でなくても突出した補間信号になることはなく、雑音期間の前後と著しく不連続になることはない。
【００７９】
また、予めオーディオ信号の雑音期間を直線補間した後低域成分を抽出して多項式補間するので、パルス性雑音を含んだままＬＰＦで低域成分を抽出して多項式補間した場合に比べて、多項式補間の起点となる雑音期間の前後の各２点における線分の傾きが小さくなり、このため突出した補間信号になることはなく、雑音期間の前後と著しく不連続になることはない。
【００８０】
また、予めオーディオ信号の雑音期間を直線補間した後低域成分を抽出して多項式補間するので、パルス性雑音を含んだままＬＰＦで低域成分を抽出して多項式補間した場合に比べて、多項式補間の起点となる雑音期間の前後の各２点における線分の傾きが小さくなり、さらにこの低域成分の雑音期間の前後各２点による線分の傾きの大きさをリミット手段により制限したのち、多項式補間するので、低域成分を抽出するＬＰＦの遮断特性が急峻でなくても突出した補間信号になることはなく、雑音期間の前後と連続性も向上する。
【００８１】
オーディオ信号の雑音期間を予め直線補間した後ＬＰＦで低域成分を抽出し、この低域成分と、上記直線補間されたオーディオ信号から抽出して雑音期間のレベルを抑制した中高域成分とを合成するので、低域成分の雑音期間を多項式補間を行った場合に比べて滑らかさは欠けるが、補間信号のレベルが突出することのない雑音除去装置を得ることができる。
【００８２】
また、オーディオ信号の中高域成分を抽出する第２のフィルタ手段を、オーディオ信号を第１のフィルタ手段と同じ量遅延させる遅延手段と、この遅延されたオーディオ信号から第１のフィルタ手段で抽出された低域成分を減算する減算手段とで構成したので、簡単な構成で中高域成分を抽出する第２のフィルタ手段を実現できる。
【００８３】
また、第２のフィルタ手段で抽出された中高域成分から第３のフィルタ手段で中域成分を抽出し、上記中高域成分から第４のフィルタ手段で高域成分を抽出し、これらの抽出された中域成分および高域成分の雑音期間のレベルをそれぞれ適切に抑制して、雑音期間が多項式補間された低域成分と合成してオーディオ信号を得る構成としたので、中域および高域成分に対する雑音除去処理により生ずる、例えばビート音などの弊害を軽減しつつ、雑音を除去することができる。
【００８４】
また、第２のフィルタ手段で抽出された中高域成分の雑音期間のレベルを抑制する手段を、上記中高域成分の雑音期間を減衰させるミュート手段、雑音期間の直前でフェードアウトし雑音期間の直後でフェードインするフェードアウト／イン手段、または雑音期間の始めに中高域成分をオフし終りにオンするオン／オフ手段で構成したので、中高域成分に対する雑音除去処理により生ずる、例えばビート音などの弊害を軽減しつつ、雑音を除去することができる。
【００８５】
また、抽出された中域成分の雑音期間のレベルを抑制する手段を、雑音期間の直前でフェードアウトし雑音期間の直後でフェードインするフェードアウト／イン手段、雑音期間の始めにオフし終りにオンするオン／オフ手段、または雑音期間のレベルを抑制するレベルダウン手段で構成し、また、抽出された高域成分の雑音期間のレベルを抑制する手段を、雑音期間の直前でフェードアウトし雑音期間の直後でフェードインするフェードアウト／イン手段で構成したので、中域成分および高域成分に対する雑音除去処理により生ずる、例えばビート音などの弊害を効率よく軽減できる。
【００８６】
また、フェードアウト／イン手段のフェードアウトおよびフェードイン特性を、通過域から遮断域に向かって飽和する曲線に形成したので、補間信号と雑音期間の前後の信号とのつながりの不連続さを軽減することができる。
【図面の簡単な説明】
【図１】  この発明の実施の形態１の構成を示すブロック図である。
【図２】  実施の形態１の３次式補間の説明図である。
【図３】  実施の形態１の中高域成分を除く理由の説明図である。
【図４】  実施の形態１の高域成分を含む信号に対してＬＰＦを使用した場合の動作説明図である。
【図５】  実施の形態１の多項式補間回路の構成例を示す図である。
【図６】  実施の形態１の多項式補間回路の動作説明図である。
【図７】  実施の形態１の図５における合成回路の動作説明図である。
【図８】  実施の形態１のミュート回路の動作説明図である。
【図９】  実施の形態１の合成回路の構成例を示す図である。
【図１０】  実施の形態１の動作結果の説明図である。
【図１１】  実施の形態１の他の構成例を示すブロック図である。
【図１２】  この発明の実施の形態２の構成を示すブロック図である。
【図１３】  実施の形態２のフェードアウト／イン回路の動作説明図である。
【図１４】  実施の形態２の動作結果の説明図である。
【図１５】  実施の形態２の他の構成を示すブロック図である。
【図１６】  この発明の実施の形態３の構成を示すブロック図である。
【図１７】  実施の形態３のフェードアウト／イン回路の動作説明図である。
【図１８】  実施の形態３の合成回路の構成例を示す図である。
【図１９】  実施の形態３の他の構成を示すブロック図である。
【図２０】  この発明の実施の形態４の構成を示すブロック図である。
【図２１】  実施の形態４のＯＮ／ＯＦＦ回路の構成例を示す図である。
【図２２】  実施の形態４のＯＮ／ＯＦＦ回路の動作説明図である。
【図２３】  実施の形態４の他の構成例を示すブロック図である。
【図２４】  この発明の実施の形態５の構成を示すブロック図である。
【図２５】  実施の形態５のレベルダウン回路の構成例を示す図である。
【図２６】  実施の形態５のレベルダウン回路の動作説明図である。
【図２７】  実施の形態５の他の構成を示すブロック図である。
【図２８】  この発明の実施の形態６のフェードアウト／イン回路の動作説明図である。
【図２９】  実施の形態６のフェードアウト／イン回路における飽和的曲線の説明図である。
【図３０】  この発明の実施の形態７の構成を示す第１のブロック図である。
【図３１】  この発明の実施の形態７の構成を示す第２のブロック図である。
【図３２】  この発明の実施の形態７の構成を示す第３のブロック図である。
【図３３】  この発明の実施の形態７の構成を示す第４のブロック図である。
【図３４】  この発明の実施の形態７の構成を示す第５のブロック図である。
【図３５】  実施の形態７のリミット回路の動作説明図である。
【図３６】  この発明の実施の形態８の構成を示す第１のブロック図である。
【図３７】  この発明の実施の形態８の構成を示す第２のブロック図である。
【図３８】  この発明の実施の形態８の構成を示す第３のブロック図である。
【図３９】  この発明の実施の形態８の構成を示す第４のブロック図である。
【図４０】  この発明の実施の形態８の構成を示す第５のブロック図である。
【図４１】  この発明の実施の形態９の構成を示す第１のブロック図である。
【図４２】  この発明の実施の形態９の構成を示す第２のブロック図である。
【図４３】  この発明の実施の形態９の構成を示す第３のブロック図である。
【図４４】  この発明の実施の形態９の構成を示す第４のブロック図である。
【図４５】  この発明の実施の形態９の構成を示す第５のブロック図である。
【図４６】  実施の形態８の直線補間回路の動作説明図である。
【図４７】  この発明の実施の形態１０の構成を示す第１のブロック図である。
【図４８】  この発明の実施の形態１０の構成を示す第２のブロック図である。
【図４９】  この発明の実施の形態１０の構成を示す第３のブロック図である。
【図５０】  この発明の実施の形態１０の構成を示す第４のブロック図である。
【図５１】  この発明の実施の形態１０の構成を示す第５のブロック図である。
【図５２】  実施の形態９の低域信号についての処理動作の説明図である。
【図５３】  従来のパルス性雑音除去装置の構成を示すブロック図である。
【図５４】  従来のパルス性雑音除去装置のステレオ復調回路の動作説明図である。
【図５５】  従来のパルス性雑音除去装置の動作説明図である。
【図５６】  従来のパルス性雑音除去装置の課題の説明図である。
【符号の説明】
１  ＦＭ検波回路、５  ステレオ復調回路、１１  ノイズ検出回路、１２  ＬＰＦ、１３  多項式補間回路、１４  ＨＰＦ、１５  ミュート回路、１６，２９合成回路、１７，１８，２３，２４，３０，３１，３３，３４，３６，３７，３９〜７９  雑音除去回路、２０，２６  遅延回路、２１，２７  減算回路、２２，２８  フェードアウト／イン回路、３２  ＯＮ／ＯＦＦ回路、３５  レベルダウン回路、３８  リミット回路、４９  雑音除去回路。
【図１】
0003675179.tif 000003
【図２】
0003675179.tif 000004
【図３】
0003675179.tif 000005
【図４】
0003675179.tif 000006
【図５】
0003675179.tif 000007
【図６】
0003675179.tif 000008
【図７】
0003675179.tif 000009
【図８】
0003675179.tif 000010
【図９】
0003675179.tif 000011
【図１０】
0003675179.tif 000012
【図１１】
0003675179.tif 000013
【図１２】
0003675179.tif 000014
【図１３】
0003675179.tif 000015
【図１４】
0003675179.tif 000016
【図１５】
0003675179.tif 000017
【図１６】
0003675179.tif 000018
【図１７】
0003675179.tif 000019
【図１８】
0003675179.tif 000020
【図１９】
0003675179.tif 000021
【図２０】
0003675179.tif 000022
【図２１】
0003675179.tif 000023
【図２２】
0003675179.tif 000024
【図２３】
0003675179.tif 000025
【図２４】
0003675179.tif 000026
【図２５】
0003675179.tif 000027
【図２６】
0003675179.tif 000028
【図２７】
0003675179.tif 000029
【図２８】
0003675179.tif 000030
【図２９】
0003675179.tif 000031
【図３０】
0003675179.tif 000032
【図３１】
0003675179.tif 000033
【図３２】
0003675179.tif 000034
【図３３】
0003675179.tif 000035
【図３４】
0003675179.tif 000036
【図３５】
0003675179.tif 000037
【図３６】
0003675179.tif 000038
【図３７】
0003675179.tif 000039
【図３８】
0003675179.tif 000040
【図３９】
0003675179.tif 000041
【図４０】
0003675179.tif 000042
【図４１】
0003675179.tif 000043
【図４２】
0003675179.tif 000044
【図４３】
0003675179.tif 000045
【図４４】
0003675179.tif 000046
【図４５】
0003675179.tif 000047
【図４６】
0003675179.tif 000048
【図４７】
0003675179.tif 000049
【図４８】
0003675179.tif 000050
【図４９】
0003675179.tif 000051
【図５０】
0003675179.tif 000052
【図５１】
0003675179.tif 000053
【図５２】
0003675179.tif 000054
【図５３】
0003675179.tif 000055
【図５４】
0003675179.tif 000056
【図５５】
0003675179.tif 000057
【図５６】
0003675179.tif 000058